(57)【特許請求の範囲】
【請求項１】
デジタル放送波を受信する手段と、
所定のアプリケーションを実行して、受信した放送波からコンテンツを抽出し当該コンテンツに応じた放送サービスをユーザに提示する手段と、
ネットワーク網を介して接続されたサーバとデータを送受信する通信手段と、
前記通信手段を用いて前記サーバから前記アプリケーションを取得するアプリケーション取得手段と、
前記サーバから取得したアプリケーションを少なくとも一つ格納する手段と、
前記アプリケーションがデータの書き込み／読み出しを行うアプリケーション専用領域を各アプリケーションごとにそれぞれ備えた記憶手段とを有するデジタル放送受信機であって、
所定のアプリケーション専用領域に対するデータの書き込み／読み出しを当該アプリケーション専用領域に対応するアプリケーションのみに許可するメモリアクセス制御手段を有することを特徴とするデジタル放送受信機。
【請求項２】
前記メモリアクセス制御手段は、前記アプリケーション取得手段が前記アプリケーションを取得する際にアクセスしたサイトから当該サイトを特定する情報を獲得して各アプリケーションごとに蓄積し、所定のアプリケーションに対してデータの書き込み／読み出しを要求するアプリケーションを、前記情報を用いて特定することを特徴とする請求項１記載のデジタル放送受信機。
【請求項３】
デジタル放送波を受信する手段と、
所定のアプリケーションを実行して、受信した放送波からコンテンツを抽出し当該コンテンツに応じた放送サービスをユーザに提示する手段と、
ネットワーク網を介して接続されたサーバとデータを送受信する通信手段と、
前記通信手段を用いて前記サーバから前記アプリケーションを取得するアプリケーション取得手段と、
前記サーバから取得した前記アプリケーションを少なくとも一つ格納する手段とを有するデジタル放送受信機であって、
前記コンテンツによって指定されたサイトからダウンロードされたアプリケーションのみに前記コンテンツに対するアクセスを許可するコンテンツアクセス制御手段を有することを特徴とするデジタル放送受信機。
【請求項４】
前記コンテンツアクセス制御手段は、前記アプリケーション取得手段が前記アプリケーションを取得する際にアクセスしたサイトから当該サイトを特定する情報を獲得して各アプリケーションごとに蓄積し、ダウンロード元のサイトが前記コンテンツによって指定されるサイトと一致するアプリケーションに対して前記コンテンツへのアクセスを許可することを特徴とする請求項３記載のデジタル放送受信機。
【請求項５】
デジタル放送波を受信する手段と、
所定のアプリケーションを実行して、受信した放送波からコンテンツを抽出し当該コンテンツに応じた放送サービスをユーザに提示する手段と、
ネットワーク網を介して接続されたサーバとデータを送受信する通信手段と、
前記通信手段を用いて前記サーバから前記アプリケーションを取得するアプリケーション取得手段と、
前記サーバから取得したアプリケーションを少なくとも一つ格納する手段とを有するデジタル放送受信機であって、
前記アプリケーションが前記通信手段を用いてアクセス可能なサイトを、前記コンテンツによって指定されたサイトのみに限定する通信アクセス制御手段を有することを特徴とするデジタル放送受信機。
【請求項６】
前記通信アクセス制御手段は、前記アプリケーション取得手段が前記アプリケーションを取得する際にアクセスしたサイトから当該サイトを特定する情報を獲得して各アプリケーションごとに蓄積し、ダウンロード元のサイトが前記コンテンツによって指定されるサイトと一致するアプリケーションに対して前記通信手段を用いてのアクセスを許可することを特徴とする請求項５記載のデジタル放送受信機。
【請求項７】
デジタル放送波を受信する手段と、
所定のアプリケーションを実行して、受信した放送波からコンテンツを抽出し当該コンテンツに応じた放送サービスをユーザに提示する手段と、
ネットワーク網を介して接続されたサーバとデータを送受信する通信手段と、
前記通信手段を用いて前記サーバから前記アプリケーションを取得するアプリケーション取得手段と、
前記サーバから取得したアプリケーションを少なくとも一つ格納する手段と、
前記アプリケーションがデータの書き込み／読み出しを行う領域を前記デジタル放送波を送出する放送事業者または当該放送事業者が属する放送事業者のグループごとにそれぞれ備えた記憶手段とを有するデジタル放送受信機であって、
前記放送事業者または前記放送事業者のグループを特定する事業者情報を前記デジタル放送波を基に取得する手段をさらに有し、
前記アプリケーションは、前記記憶手段の特定の領域に対してアクセスするか否かを前記事業者情報に基づいて判断することを特徴とするデジタル放送受信機。
【請求項８】
デジタル放送波を受信する手段と、
所定のアプリケーションを実行して、受信した放送波からコンテンツを抽出し当該コンテンツに応じた放送サービスをユーザに提示する手段と、
ネットワーク網を介して接続されたサーバとデータを送受信する通信手段と、
前記通信手段を用いて前記サーバから前記アプリケーションを取得するアプリケーション取得手段と、
前記サーバから取得したアプリケーションを少なくとも一つ格納する手段と、
前記アプリケーションがデータの書き込み／読み出しを行う領域を前記デジタル放送波を送出する放送事業者または当該放送事業者が属する放送事業者のグループごとにそれぞれ備えた記憶手段とを有するデジタル放送受信機であって、
前記放送事業者または前記放送事業者のグループを特定する事業者情報を前記デジタル放送波を基に取得する手段と、
前記記憶手段の特定の領域に対して前記アプリケーションが要求するアクセスを許可するか否かを、前記事業者情報に基づいて判断する手段とを有することを特徴とするデジタル放送受信機。
【発明の詳細な説明】
【０００１】
【発明の属する技術分野】
本発明は、デジタル放送受信機能と通信機能を備えるデジタル放送受信機に関し、特に、デジタル放送受信機へダウンロードされた受信機制御アプリケーションがネットワーク網上のサイトやメモリに対するアクセスを制御できるデジタル放送受信機に関する。
【０００２】
【従来の技術】
デジタル放送サービスでは、放送局から放送されたデジタル放送波を受信し、これを基に取得したデジタル放送コンテンツを処理してユーザへ提示する端末（デジタル放送受信機）をネットワーク網へ接続した放送システムが用いられる。
従来の放送システムの一例として、特開２００１−２８５２１８号公報に開示される「データ放送利用方法、データ放送用システム及び記録媒体」がある。このシステムでは、地域商店に設置された蓄積部にカタログデータなどを放送し、地域商店は広告サーバ会社から配信される顧客情報と蓄積部に蓄積されたカタログデータとを基に、顧客に対するサービスや売り込みなどを行える。
【０００３】
また、従来の放送システムの別の一例として、特開２００１−２９２４３８号公報に開示される「双方向通信方法及びその通信システム、並びに双方向通信プログラムを記憶した記憶媒体」がある。このシステムでは、顧客に提供するデータを複数設け、顧客の顧客情報を端末内に格納し、格納された顧客情報を基に複数のデータから一つを選択して提示する。
【０００４】
また、従来の放送システムのさらに別の一例として、特開２０００−１９６９７０号公報に開示される「情報端末機能付き放送受信機及び同受信機の出力環境設定用プログラムを記録した記録媒体」がある。このシステムでは、端末利用者の操作履歴情報を端末内に蓄積し、この情報から利用者の嗜好を判定し、この判断結果に基づいて端末の出力内容を制御する。
【０００５】
【発明が解決しようとする課題】
上記各公報に開示される発明を適用した放送システムに用いられる端末は、外部サーバから取得した顧客情報または端末内で発生した顧客情報を利用するのみである。つまり、動作記述を含むプログラムを放送または通信によって取得して端末内で処理したり、デジタル放送サービスをユーザに提供する際にアクセスできるサイト（ネットワーク網のサーバに格納されており不特定多数の人間が閲覧可能なデータやプログラムなど）またはコンテンツを制限したりすることはできない。
このため、上記各公報に開示された発明を適用した放送システムに用いられる端末には、以下に掲げる問題があった。
【０００６】
第１の問題点は、端末にダウンロードされた受信機アプリケーションが不正なアプリケーション（例えば、放送局が指定するアプリケーションではないもの）だった場合、そのアプリケーションが不当なサイトに対する不適切な通信を行うことを端末が防げないことである。換言すると、放送局から取得したデジタル放送コンテンツを不正な受信機制御アプリケーションを用いて端末が処理した場合、このアプリケーションは放送局が予期しないサイトに対して不正にデータを送信することができた。
これは、受信機制御アプリケーションがアクセス可能な通信サイトを制限する手段を端末が備えていなかったためである。
【０００７】
第２の問題点は、端末にダウンロードされた受信機制御アプリケーションが不正なアプリケーションだった場合、そのアプリケーションが不正に他の受信機制御アプリケーションやその管理領域にアクセスすることを端末が防げないことである。換言すると、放送局から取得したデジタル放送コンテンツを不正なアプリケーションを用いて端末が処理した場合、このアプリケーションは、放送局が予期しないメモリ領域に対して不正にデータの書き込み／読み出しを行うことができた。
これは、受信機制御アプリケーションがアクセス可能なメモリ領域を制限する手段を端末が備えていなかったためである。
【０００８】
第３の問題点は、端末にダウンロードされた受信機制御アプリケーションが不正なアプリケーションだった場合、そのアプリケーションが不正にデジタル放送コンテンツにアクセスしたり、アクセスしたデジタル放送コンテンツを不正に利用したりすることを端末が防げないということである。換言すると、放送局から取得したデジタル放送コンテンツを不正な受信機制御アプリケーションを用いて端末が処理した場合、このアプリケーションは、デジタル放送コンテンツに不正にアクセスしたり、コンテンツを不正に利用することができた。
これは、受信機制御アプリケーションがアクセス可能なデジタル放送コンテンツを制限する手段を端末が備えていなかったためである。
【０００９】
第４の問題点は、デジタル放送コンテンツの指示に従って事業者専用領域または事業者系専用領域へのアクセスを行うことを、端末にダウンロードされた受信機制御アプリケーションが制御できないということである。
これは、デジタル放送コンテンツを放送している放送事業者またはその系列に応じて受信機制御アプリケーションがアクセスできるメモリ領域を制限する手段を端末が備えていなかったためである。
なお、事業者専用領域とは、デジタル放送コンテンツを放送している放送事業者が専用に用いるメモリ領域を示す。また、事業者系列専用領域とは、デジタル放送コンテンツを放送している放送事業者と同じ系列に属する放送事業者群が専用に用いるメモリ領域を示す。換言すると、事業者系列専用領域は、少なくとも一つの放送事業者から構成される放送事業者のグループが専用に用いるメモリ領域を示す。
【００１０】
本発明はかかる問題に鑑みてなされたものであり、端末にダウンロードされた受信機制御アプリケーションがアクセス可能な通信サイト・メモリ領域・デジタル放送コンテンツを制限することを目的とする。
【００１１】
【課題を解決するための手段】
上記目的を達成するため、本発明は、第１の態様として、デジタル放送波を受信する手段と、所定のアプリケーションを実行して、受信した放送波からコンテンツを抽出し当該コンテンツに応じた放送サービスをユーザに提示する手段と、ネットワーク網を介して接続されたサーバとデータを送受信する通信手段と、通信手段を用いてサーバからアプリケーションを取得するアプリケーション取得手段と、サーバから取得したアプリケーションを少なくとも一つ格納する手段と、アプリケーションがデータの書き込み／読み出しを行うアプリケーション専用領域を各アプリケーションごとにそれぞれ備えた記憶手段とを有するデジタル放送受信機であって、所定のアプリケーション専用領域に対するデータの書き込み／読み出しを当該アプリケーション専用領域に対応するアプリケーションのみに許可するメモリアクセス制御手段を有することを特徴とするデジタル放送受信機を提供するものである。以上の構成において、メモリアクセス制御手段は、アプリケーション取得手段がアプリケーションを取得する際にアクセスしたサイトから当該サイトを特定する情報を獲得して各アプリケーションごとに蓄積し、所定のアプリケーションに対してデータの書き込み／読み出しを要求するアプリケーションを、情報を用いて特定することが好ましい。本発明の第１の態様によれば、デジタル放送受信機にダウンロードされた受信機制御アプリケーションの一つがアクセス可能なメモリ領域について、他の受信機制御アプリケーションからのアクセスできないように制限できる。これによって、不正な受信機制御アプリケーションが、他の受信機制御アプリケーションやこれが管理するメモリ領域に対して不正にアクセスすることを防止できる。
【００１２】
また、上記目的を達成するため、本発明は、第２の態様として、デジタル放送波を受信する手段と、所定のアプリケーションを実行して、受信した放送波からコンテンツを抽出し当該コンテンツに応じた放送サービスをユーザに提示する手段と、ネットワーク網を介して接続されたサーバとデータを送受信する通信手段と、通信手段を用いてサーバからアプリケーションを取得するアプリケーション取得手段と、サーバから取得したアプリケーションを少なくとも一つ格納する手段とを有するデジタル放送受信機であって、コンテンツによって指定されたサイトからダウンロードされたアプリケーションのみにコンテンツに対するアクセスを許可するコンテンツアクセス制御手段を有することを特徴とするデジタル放送受信機を提供するものである。以上の構成において、コンテンツアクセス制御手段は、アプリケーション取得手段がアプリケーションを取得する際にアクセスしたサイトから当該サイトを特定する情報を獲得して各アプリケーションごとに蓄積し、ダウンロード元のサイトがコンテンツによって指定されるサイトと一致するアプリケーションに対してコンテンツへのアクセスを許可することが好ましい。本発明の第２の態様によれば、デジタル放送受信機が受信したデジタル放送波に含まれるコンテンツにアクセスできる受信機制御アプリケーションを、コンテンツによって指定されたサイトからダウンロードされた受信機制御アプリケーションのみに限定できる。これによって、仮に、不正な受信機制御アプリケーションがデジタル放送受信機にダウンロードされたとしても、このアプリケーションは、不正にデジタル放送コンテンツにアクセスしたり、アクセスしたデジタル放送コンテンツを不正に利用したりすることはできない。
【００１３】
また、上記目的を達成するため、本発明は、第３の態様として、デジタル放送波を受信する手段と、所定のアプリケーションを実行して、受信した放送波からコンテンツを抽出し当該コンテンツに応じた放送サービスをユーザに提示する手段と、ネットワーク網を介して接続されたサーバとデータを送受信する通信手段と、通信手段を用いてサーバからアプリケーションを取得するアプリケーション取得手段と、サーバから取得したアプリケーションを少なくとも一つ格納する手段とを有するデジタル放送受信機であって、アプリケーションが通信手段を用いてアクセス可能なサイトを、コンテンツによって指定されたサイトのみに限定する通信アクセス制御手段を有することを特徴とするデジタル放送受信機を提供するものである。以上の構成において、通信アクセス制御手段は、アプリケーション取得手段がアプリケーションを取得する際にアクセスしたサイトから当該サイトを特定する情報を獲得して各アプリケーションごとに蓄積し、ダウンロード元のサイトがコンテンツによって指定されるサイトと一致するアプリケーションに対して通信手段を用いてのアクセスを許可することが好ましい。本発明の第３の態様によれば、デジタル放送受信機にダウンロードされた受信機制御アプリケーションがアクセスできる通信サーバを、デジタル放送コンテンツによって指定された通信サーバに限定できる。これによって、仮に、不正な受信機制御アプリケーションがデジタル放送受信機にダウンロードされたとしても、このアプリケーションが不当なサイトに対して不適切な通信を発生させるのを防止できる。
【００１４】
また、上記目的を達成するため、本発明は、第４の態様として、デジタル放送波を受信する手段と、所定のアプリケーションを実行して、受信した放送波からコンテンツを抽出し当該コンテンツに応じた放送サービスをユーザに提示する手段と、ネットワーク網を介して接続されたサーバとデータを送受信する通信手段と、通信手段を用いてサーバからアプリケーションを取得するアプリケーション取得手段と、サーバから取得したアプリケーションを少なくとも一つ格納する手段と、アプリケーションがデータの書き込み／読み出しを行う領域をデジタル放送波を送出する放送事業者または当該放送事業者が属する放送事業者のグループごとにそれぞれ備えた記憶手段とを有するデジタル放送受信機であって、放送事業者または放送事業者のグループを特定する事業者情報をデジタル放送波を基に取得する手段をさらに有し、アプリケーションは、記憶手段の特定の領域に対してアクセスするか否かを事業者情報に基づいて判断することを特徴とするデジタル放送受信機を提供するものである。以上の構成によれば、デジタル放送受信機にダウンロードされた受信機制御アプリケーションは、デジタル放送を行っている放送事業者または当該放送事業者が属する放送事業者系列を特定する情報に基づいて、特定のメモリ領域に対してアクセスするか否かを判断できる。これによって、特定の放送事業者のみがアクセス可能な領域、または、特定の放送事業者系列のみがアクセス可能な領域をメモリなどの記憶手段上で運用することが可能となる。
【００１５】
また、上記目的を達成するため、本発明は、第５の態様として、デジタル放送波を受信する手段と、所定のアプリケーションを実行して、受信した放送波からコンテンツを抽出し当該コンテンツに応じた放送サービスをユーザに提示する手段と、ネットワーク網を介して接続されたサーバとデータを送受信する通信手段と、通信手段を用いてサーバからアプリケーションを取得するアプリケーション取得手段と、サーバから取得したアプリケーションを少なくとも一つ格納する手段と、アプリケーションがデータの書き込み／読み出しを行う領域をデジタル放送波を送出する放送事業者または当該放送事業者が属する放送事業者のグループごとにそれぞれ備えた記憶手段とを有するデジタル放送受信機であって、放送事業者または放送事業者のグループを特定する事業者情報をデジタル放送波を基に取得する手段と、記憶手段の特定の領域に対してアプリケーションが要求するアクセスを許可するか否かを、事業者情報に基づいて判断する手段とを有することを特徴とするデジタル放送受信機を提供するものである。以上の構成によれば、デジタル放送受信機にダウンロードされた受信機制御アプリケーションは、デジタル放送を行っている放送事業者または当該放送事業者が属する放送事業者系列を特定する情報に基づいて、デジタル放送受信機にダウンロードされた受信機制御アプリケーションに対して、当該受信機制御アプリケーションが要求する特定のメモリ領域へのアクセスを許可するか否かを判断できる。これによって、特定の放送事業者のみがアクセス可能な領域、または、特定の放送事業者系列のみがアクセス可能な領域をメモリなどの記憶手段上で運用することが可能となる。
【００１６】
【発明の実施の形態】
〔第１の実施の形態〕
本発明を好適に実施した第１の実施形態について説明する。
図３に、本実施形態によるデジタル放送受信機を適用した放送システムを示す。この放送システムは、デジタル放送受信機１、放送局２、通信サイト（Ａ）３および通信サイト（Ｂ）４を有する。
放送局２は、デジタル放送コンテンツなどのデータをデジタル放送波によって不特定多数の視聴者へ送出する。通信サイト（Ａ）３および通信サイト（Ｂ）４は、ネットワーク網に接続された不図示の通信サーバなどに格納されたプログラムやコンテンツなどであり、ネットワーク網を介して不特定多数の人間がアクセス可能に構成される。例えば、通信サイト（Ａ）３，（Ｂ）４は、ネットワーク網を介してアプリケーションプログラムをデジタル放送受信機１などの端末にダウンロードさせる。通信サイト（Ａ）３および通信サイト（Ｂ）４のそれぞれは、例えばＨＴＭＬ、ＸＭＬ、ＸＨＴＭＬ、スクリプト言語、Ｊａｖａ（登録商標）、Ｃ言語などのプログラム言語や実行ファイル（実行可能なプログラムが入ったファイル）などが用いられて構成される。
デジタル放送受信機１は、ダウンローダ１１、放送インタフェース（Ｉ／Ｆ）１２、通信インタフェース（Ｉ／Ｆ）１３、アプリケーション実行エンジン１４、受信機制御アプリケーション２０、アドレス格納部２１およびアプリケーション管理領域２２を有する。
ダウンローダ１１は、通信Ｉ／Ｆ１３を介して通信サイト（Ａ）３（または、通信サイト（Ｂ）４）にアクセスし、受信機制御用アプリケーション２０をダウンロードして不図示のアプリケーション格納手段に格納する。この際、ダウンローダ１１は、通信サイト（Ａ）３（または、通信サイト（Ｂ）４）のアドレスまたはドメイン名をアドレス格納部２１へ格納するか、または、受信機制御アプリケーション２０をダウンロードする際に通信サイト（Ａ）３（または、通信サイト（Ｂ）４）によって指定されたアドレスまたはドメイン名をアドレス格納部２１へ格納する。放送Ｉ／Ｆ１２は、デジタル放送波を受信するためのインタフェースであり、デジタル放送波からデジタル放送データなどを抽出する。例えば、放送Ｉ／Ｆ１２は、デジタル放送波を受信するためのアンテナや符号化された放送信号を復号するデコーダなどを有して構成される。通信Ｉ／Ｆ１３は、ネットワーク網を介してデータを送受信するためのインタフェースである。例えば、通信Ｉ／Ｆ１３は、モデムやＤＳＵなどを有して構成される。なお、通信の形態は無線通信または有線通信のいずれでもよい。アプリケーション実行エンジン１４は、放送Ｉ／Ｆ１２を介して放送局２から取得したデータ、および、通信Ｉ／Ｆ１３を介して通信サイト（Ａ）３（または、通信サイト（Ｂ）４）から取得したデータ、並びに、アプリケーション管理領域２２に格納されたデータを、受信機制御アプリケーション２０を実行することによって処理する。アプリケーション実行エンジン１４は、この処理結果を、アプリケーション管理領域２２に書き込んだり、通信サイト（Ａ）３（または、通信サイト（Ｂ）４）へ送信したり、不図示の提示手段（例えば、液晶パネル、スピーカなど）を用いてユーザへ提示したりする。処理結果をユーザに提示する形式としては、動画像、静止画像、音声、文字、図形等を含む様々なマルチメディア表現が可能である。例えば、アプリケーション実行エンジン１４は、アプリケーションを実行する演算素子（ＣＰＵ、ＭＰＵなど）やアプリケーションの作業領域となるＲＡＭなどを有して構成される。受信機制御アプリケーション２０は、アプリケーション実行エンジン１４上において実行されるプログラムであり、このプログラムの動作によってデジタル放送受信機１はデジタル放送サービスをユーザに提供する。受信機制御アプリケーション２０には、例えば、デジタル放送受信機１の各部の制御手順などが記されている。受信機制御アプリケーション２０は、特定のプログラム言語やプログラム形式に限定されることはなく、あらゆるプログラム言語およびプログラム形式を用いることができる。例えば、ライブラリや実行ファイルなどを、ＨＴＭＬ、ＸＴＭＬ、ＸＨＴＭＬ、Ｊａｖａ（登録商標）などのプログラム言語を用いて記述するようにしてもよい。受信機制御アプリケーション２０は、デジタル放送サービスをユーザに提示するための処理（例えば、アプリケーション管理領域２２に対するデータの書き込み／読み出しや、通信Ｉ／Ｆ１３を用いての通信サイト（Ａ）３または通信サイト（Ｂ）４に対する通信、ユーザへの情報の提示など）をアプリケーション実行エンジン１４に要求して、実行させる。アドレス格納部２１は、デジタル放送受信機１がアクセスできるサイトのアドレスやドメイン名が格納される。アプリケーション管理領域２２は、ユーザがデジタル放送サービスの提供を受ける際に必要となるデータが格納されており、アプリケーション実行エンジン１４がデータの読み出しや書き込みを行うメモリ領域である。アドレス格納部２１やアプリケーション管理領域２２には、データを高速に読み出し／書き込みを行える記憶手段としてのＲＡＭ、記憶内容を保持可能な記憶手段としのＮＶＲＡＭやＥＥＰＲＯＭ、大容量記憶手段としてのハードディスクおよびリムーバブル記憶手段などを適用することができる。
【００１７】
アプリケーション実行エンジン１４が通信Ｉ／Ｆ１３を用いてデータを送受信する際に、受信機制御アプリケーション２０はアドレス格納部２１に格納されているアドレス（または、ドメイン名）と通信相手のアドレス（または、ドメイン名）とが一致するか否かをアプリケーション実行エンジン１４に判断させ、一致する場合のみ通信を実行させる。すなわち、アプリケーション実行エンジン１４は、アドレス格納部２１にアドレスまたはドメイン名が格納されているサイトに対してのみアクセスできる。この動作は、例えばライブラリ関数を用いることで実現できる。なお、これは他の実施形態の動作についても同様である。
例えば、受信機制御アプリケーション２０のダウンロード元である通信サイト（Ａ）３（または、通信サイト（Ｂ）４）のアドレスまたはドメイン名がアドレス格納部２１に格納される場合、アプリケーション実行エンジン１４は、通信サイト（Ａ）３（または、通信サイト（Ｂ）４）に対するアクセスのみを行えることになる。
また、受信機制御アプリケーションの２０のダウンロード元である通信サイトから指定されたアドレス・ドメイン名がアドレス格納部２１へ格納される場合、アプリケーション実行エンジン１４は、アドレス格納部２１にアドレスまたはドメイン名が格納されている通信サイトに対するアクセスのみを行えることになる。例えば、通信機制御アプリケーション２０のダウンロード元である通信サイト（Ａ）３から通信サイト（Ｂ）４のアドレスを指定された場合、デジタル放送受信機１は、通信サイト（Ｂ）４に対するアクセスのみを行える。
【００１８】
なお、デジタル放送サービスをユーザに提供する際、受信機制御アプリケーション２０は、アドレス格納部２１にアドレスまたはドメイン名が格納されている通信サイトに対するアクセスのみをアプリケーション実行エンジン１４に要求するようにしてもよい。
【００１９】
〔第２の実施形態〕
本発明を好適に実施した第２の実施形態について説明する。
図２に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、アプリケーション管理領域２２の代わりにアプリケーション専用領域２４（２４ａ，２４ｂ）を有するほかは、第１の実施形態と同様である。ただし、本実施形態では、受信機制御アプリケーション２０（２０ａ，２０ｂ）およびアドレス格納部２１（２１ａ，２１ｂ）をそれぞれ二つずつ有する。
【００２０】
アプリケーション専用領域２４は、受信機制御アプリケーション２０が放送サービスをユーザに提供する際に必要となるデータが格納されるメモリ領域であり、受信機制御アプリケーション２０ａ、２０ｂがそれぞれアプリケーション専用領域２４ａ、２４ｂに対応している。
アプリケーション実行エンジン１４は、それぞれのアプリケーション専用領域に対するアクセスを、対応する受信機制御アプリケーションから要求された場合のみ実行する。換言すると、それぞれの受信機制御アプリケーション２０は、自身のダウンロード元である通信サイトのアドレス（または、ドメイン名）が格納されたアドレス格納部２１に対応したアプリケーション専用領域２４に対してのみアクセスするように、アプリケーション実行エンジン１４を制御する。
例えば、アプリケーション実行エンジン１４は、通信サイト（Ａ）３からダウンロードされた受信機制御アプリケーション２０ａが要求するアプリケーション専用領域２４に対するアクセスのうち、自身のダウンロード元である通信サイト（Ａ）３のアドレス（または、ドメイン名）が格納されたアドレス格納部２１ａに対応するアプリケーション専用領域２４ａに対するものは実行するが、アプリケーション専用領域２４ｂに対するものは実行しない。
これにより、本実施形態による放送システムにおいては、デジタル放送受信機にダウンロードされた受信機制御アプリケーションが不正なものであったとしても、他の受信機制御アプリケーションに対応するアプリケーション専用領域に格納されているデータに対してアクセスすることはできない。
【００２１】
〔第３の実施形態〕
本発明を好適に実施した第３の実施形態について説明する。
図１に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、第１の実施形態による構成に加え、アドレス格納部３１をさらに有する。アドレス格納部３１は、放送局２から放送されたデータを基に放送Ｉ／Ｆ１２が抽出したアドレスまたはドメイン名の情報を格納する。
【００２２】
受信機制御アプリケーション２０は、アプリケーション実行エンジン１４に、通信Ｉ／Ｆ１３を介した通信を要求する際に、アドレス格納部２１に格納されているアドレスまたはドメイン名と、アドレス格納部３１に格納されているアドレスまたはドメイン名とをアプリケーション実行エンジン１４に比較させる。
前者と後者とが一致しない場合、アプリケーション実行エンジン１４は、通信Ｉ／Ｆ１３を用いた通信を行わない。この時、アプリケーション実行エンジン１４は、通信が行われなかったことをユーザに提示することが好ましい。また、アプリケーション実行エンジン１４は、受信機制御アプリケーション２０が不正なアプリケーションであるとして動作を停止することが好ましい。
一方、アドレス格納部２１に格納されているアドレスまたはドメイン名と、アドレス格納部３１に格納されているアドレスまたはドメイン名とが一致する場合、アプリケーション実行エンジン１４は、受信機制御アプリケーション２０がアクセスを要求する通信サイトに対して、通信Ｉ／Ｆ１３を用いて通信を行う。
これにより、放送局２が放送によって指定したサイトにアクセスできる受信機制御アプリケーション２０は、放送局２によってアドレスまたはドメイン名が指定されたサイトからダウンロードされた受信機制御アプリケーションに限定される。
【００２３】
〔第４の実施形態〕
本発明を好適に実施した第４の実施形態について説明する。
図４に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、アドレス格納部２１の代わりにアドレス格納部３１を有するほかは、第１の実施形態と同様である。アドレス格納部３１は、第３の実施形態のものと同様であり、放送局２から放送されたデータを基に放送Ｉ／Ｆ１２が抽出したアドレスまたはドメイン名の情報を格納する。
【００２４】
アプリケーション実行エンジン１４が受信機制御アプリケーション２０から指定された通信サイトへのアクセスを行う際に、受信機制御アプリケーション２０は、指定された通信サイトのアドレスまたはドメイン名がアドレス格納部３１に格納されているアドレスまたはドメイン名の情報のものと一致するか否かをアプリケーション実行エンジン１４に比較させる。両者が一致する場合、受信機制御アプリケーション２０は、この通信サイトに対するアクセスをアプリケーション実行エンジン１４に許可し、通信Ｉ／Ｆ１３を用いて通信を行わせる。一方、両者が一致しない場合、受信機制御アプリケーション２０は、この通信サイトに対するアクセスをアプリケーション実行エンジン１４に許可しないため、Ｉ／Ｆ１３を用いた通信は行われない。
これにより、不正な受信機制御アプリケーションがデジタル放送受信機１にダウンロードされたとしても、そのアプリケーションが不正な通信を行うことを防止できる。
【００２５】
〔第５の実施形態〕
本発明を好適に実施した第５の実施形態について説明する。
図５に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、アドレス格納部２１の代わりに放送事業者ＩＤ格納部３２および放送事業者系列ＩＤ格納部３３を有するほかは、第１の実施形態と同様である。放送事業者ＩＤ格納部３２は、放送Ｉ／Ｆ１２が放送局２から放送されたデータを基に抽出した放送事業者のＩＤ（放送事業者ＩＤ）が格納される。放送事業者系列ＩＤ格納部３３は、放送Ｉ／Ｆ１２が放送局２から放送されたデータを基に抽出した放送事業者系列のＩＤ（放送事業者系列ＩＤ）が格納される。なお、放送事業者ＩＤは、放送事業者を特定する情報（ＩＤ符号）であり、放送局２から放送されているコンテンツに関連づけられている。また、放送事業者系列ＩＤは、放送事業者系列を特定する情報（ＩＤ符号）であり、放送局２から放送されているコンテンツに関連づけられている。
【００２６】
受信機制御アプリケーション２０は、アプリケーション管理領域２２の特定の領域にアクセスするか否かを、放送事業者ＩＤ格納部３２に格納された放送事業者ＩＤまたは放送事業者系列ＩＤ格納部３３に格納された放送事業者系列ＩＤを基に判断・制御するように、アプリケーション実行エンジン１４に対して指示する。
例えば、アプリケーション実行エンジン１４がアプリケーション管理領域２２上の受信機制御アプリケーション２０から指定された領域へアクセスする際に、受信機制御アプリケーション２０は、この領域に対応する放送事業者ＩＤ（または、放送事業者系列ＩＤ）が放送事業者ＩＤ格納部３２（または、放送事業者系列ＩＤ格納部３３）に格納されているか否かをアプリケーション実行エンジン１４に判断させ、格納されている場合のみアクセスを実行させる。
これによって、アプリケーション実行エンジン１４は、受信機制御アプリケーション２０を実行する際に、アプリケーション管理領域２２の特定の領域に対するアクセスを行うか否かを放送局２から放送された放送事業者ＩＤまたは放送事業者系列ＩＤに従って判断できる。
【００２７】
〔第６の実施形態〕
本発明を好適に実施した第６の実施形態について説明する。
図６に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、第５の実施形態による構成に加えさらに、放送事業者専用領域４１および放送事業者系列専用領域４２を有するほかは、第５の実施形態と同様である。放送事業者専用領域４１は、特定の放送事業者が専用に利用できるメモリ領域である。放送事業者系列専用領域４２は、特定の放送事業者系列が専用に利用できるメモリ領域である。放送事業者専用領域４１および放送事業者系列専用領域４２は、受信機制御アプリケーション２０が直接アクセスできるアプリケーション管理領域２２とは別個に設けられる。受信機制御アプリケーション２０は、放送事業者専用領域４１または放送事業者系列専用領域４２の特定の領域にアクセスするか否かを、放送事業者ＩＤ格納部３２に格納された放送事業者ＩＤ、または、放送事業者系列ＩＤ格納部３３に格納された放送事業者系列ＩＤに基づいて判断・制御する。
【００２８】
図７に、デジタル放送受信機１の要部を示す。図に示すように、放送事業者専用領域４１は、放送事業者のＩＤに対応してＭ個の専用領域を有している。例えば、放送事業者ＩＤが“ｉ”である放送事業者が専用に利用できる領域として、「放送事業者（＃ｉ）専用領域」が割り当てられる。また、放送事業者系列専用領域４２は、放送事業者系列ＩＤの対応してＮ個の専用領域を有している。例えば、放送事業者系列ＩＤが“ｊ”である放送事業者系列が専用に利用できる領域として、「放送事業者系列（＃ｊ）専用領域」が割り当てられる。
受信機制御アプリケーション２０は、放送事業者ＩＤ格納部３２または放送事業者系列ＩＤ格納部３３に格納されている情報に基づいて、放送事業者専用領域４１内で特定の放送事業者ＩＤに割り当てられた領域、または、放送事業者系列専用領域４２内で特定の放送事業者系列に割り当てられた領域にアクセスするようにアプリケーション実行エンジン１４に要求する。
【００２９】
図８に、本実施形態によるデジタル放送受信機の動作の一例を示す。この動作は、受信機制御アプリケーション２０が放送事業者Ｘ（放送事業者ＩＤを“ｘ”とする。）専用の領域にアクセスしようとする場合の動作の例である。
受信機制御アプリケーション２０は、放送事業者専用領域４１へアクセスする際に、自身がアクセスしようとする放送事業者ＸのＩＤ（ｘ）と放送事業者ＩＤ格納部３２に格納されている放送事業者のＩＤとをアプリケーション実行エンジン１４に比較させる（ステップＳ１０１）。両者が一致した場合、換言すると、放送事業者ＩＤ格納部３２に放送事業者ＸのＩＤが格納されている場合は（ステップＳ１０２／Ｙｅｓ）、受信機制御アプリケーション２０は、放送事業者専用領域４１内の放送事業者（＃ｘ）専用領域へのアクセスをアプリケーション実行エンジン１４に許可してデータの書き込みや読み出しを行わせる。一方、両者が一致しない場合、換言すると、放送事業者ＩＤ格納部３２に放送事業者ＸのＩＤが格納されていない場合は（ステップＳ１０２／Ｎｏ）、処理を終了する。
これによって、特定の放送事業者のみがアクセス可能な領域をメモリなどの記憶手段上に実現できる。
【００３０】
受信機制御アプリケーション２０が、放送事業者系列専用の領域へのアクセスをアプリケーション実行エンジン１４に行わせる場合の処理は、図８のフローにおいて放送事業者ＩＤの代わりに放送事業者系列ＩＤを用いればよい。これによって、特定の放送事業者系列のみがアクセス可能な領域をメモリなどの記憶手段上に実現できる。
【００３１】
なお、本実施形態では、放送事業者専用領域４１や放送事業者系列専用領域４２をアプリケーション管理領域２２とは別個に設けているが、これらをアプリケーション管理領域２２の内部に設けてもよい。すなわち、アプリケーション管理領域２２の中の特定の領域を放送事業者専用領域４１や放送事業者系列専用領域４２としてもよい。
【００３２】
〔第７の実施形態〕
本発明を好適に実施した第７の実施形態について説明する。
図９に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は第１の実施形態と同様である。
デジタル放送受信機１は、第５の実施形態による構成に加えて、さらにアクセス制御部３４を有する。アプリケーション実行エンジン１４は、受信機制御アプリケーション２０から要求されたアプリケーション格納領域２２内の特定の領域に対するアクセスをアクセス制御部３４を介して行う。換言すると、アプリケーション実行エンジン１４がアプリケーション格納領域２２内の特定の領域に対してアクセスを要求すると、アクセス制御部３４は、放送事業者ＩＤ格納部３２に格納された放送事業者ＩＤ、または放送事業者系列ＩＤ格納部３３に格納された放送事業者ＩＤを基に、アクセスを許可するか否かを判断する。
例えば、アクセス制御部３４は、アプリケーション実行エンジン１４がアクセスを要求している領域に関連する放送事業者のＩＤ（または、放送事業者系列のＩＤ）と、放送事業者系列ＩＤ格納部３２に格納されている放送事業者系列ＩＤ（または、放送事業者系絵列ＩＤ格納部３３に格納されている放送事業者系列ＩＤ）とを比較する。両者が一致する場合、アクセス制御部３４は、アプリケーション実行エンジン１４が要求した特定の領域に対するアクセスを許可する。一方、両者が一致しない場合、アクセス制御部３４は、アプリケーション実行エンジン１４が要求したアプリケーション管理領域２２内の特定の領域に対するアクセスを許可しない。
これによって、特定の放送事業者または特定の放送事業者系列のみがアクセス可能な領域をメモリなどの記憶手段上に実現できる。
【００３３】
〔第８の実施形態〕
本発明を好適に実施した第８の実施形態について説明する。
図１０に、本実施形態によるデジタル放送受信機を適用した放送システムを示す。この放送システムは、デジタル放送受信機１、放送局２、通信サイト（Ａ）３および通信サイト（Ｂ）４を有しており、放送局２、通信サイト（Ａ）３および通信サイト（Ｂ）４は、第１の実施形態と同様である。
デジタル放送受信機１は、第７の実施形態による構成に加えて、さらに放送事業者専用領域４１および放送事業者系列専用領域４２を有する。放送事業者専用領域４１および放送事業者系列専用領域４２は、第６の実施形態とそれぞれ同様である。
放送事業者専用領域４１および放送事業者系列専用領域４２は、受信機制御アプリケーション２０が直接アクセス可能なアプリケーション管理領域２２とは別個に設けられる。
アクセス制御部３４は、アプリケーション実行エンジン１４が要求する放送事業者専用領域４１または放送事業者系列専用領域４２の特定の領域に対するアクセスを許可するか否かを判断し、制御する。例えばアクセス制御部３４は、放送事業者ＩＤ格納部３２に格納されている放送事業者ＩＤ、または放送事業者系列ＩＤ格納部３３に格納されている放送事業者系列ＩＤに基づいて、放送事業者専用領域４１または放送事業者系列専用領域４２に対するアプリケーション実行エンジン１４のアクセスの可否を判断する。
【００３４】
図１１に、デジタル放送受信機１の要部を詳細に示す。第６の実施形態と同様に、放送事業者専用領域４１は、放送事業者のＩＤに対応してＭ個の専用領域を有している。例えば、放送事業者ＩＤが“ｉ”である放送事業者が専用に利用できる領域として、「放送事業者（＃ｉ）専用領域」が割り当てられる。また、放送事業者系列専用領域４２は、放送事業者系列ＩＤの対応してＮ個の専用領域を有している。例えば、放送事業者系列ＩＤが“ｊ”である放送事業者系列が専用に利用できる領域として、「放送事業者系列（＃ｊ）専用領域」が割り当てられる。
【００３５】
受信機制御アプリケーション２０が、放送事業者専用領域４１内または放送事業者系列専用領域４２内の特定のＩＤ符号に対応した領域をアクセス先として指定すると、アプリケーション実行エンジン１４は、この指定に基づいてアクセス制御部３４に対してアクセス要求を発行する。アクセス制御部３４は、アプリケーション実行エンジン１４からアクセス要求を受けると、放送事業者ＩＤ格納部３２または放送事業者系列ＩＤ格納部３３に格納されているＩＤと、要求された領域に関連するＩＤとを比較する。両者が一致すると、アクセス制御部３４は、アプリケーション実行エンジン１４が要求するアクセス要求を許可して、放送事業者専用領域４１または放送事業者系列専用領域４２に対してデータの書き込みや読み出しを行わせる。一方、一致しない場合、アクセス制御部３４は、要求された領域へのアクセスをアプリケーション実行エンジン１４に許可しない。
【００３６】
図１２に、本実施形態によるデジタル放送受信機の動作の一例を示す。この動作は、アプリケーション実行エンジン１４が放送事業者Ｘ（放送事業者ＩＤを“ｘ”、放送事業者系列ＩＤを“ｙ”とする。）専用の領域にアクセスしようとする場合の動作の例である。
アクセス制御部３４は、アプリケーション実行エンジン１４からアクセス要求を受けると（ステップＳ２０１）、このアクセス要求が放送事業者専用領域３２の対する要求であるか否かを判断する（ステップＳ２０２）。
放送事業者専用領域３２に対するアクセス要求である場合（ステップＳ２０２／Ｙｅｓ）、アクセス制御部３４は放送事業者ＩＤ格納部３２に格納されている放送事業者ＩＤとアクセス要求で指定されているＩＤ（ｘ）とを比較する。換言すると、アクセス制御部３４は、放送事業者ＩＤ格納部３２に放送事業者ＸのＩＤ（ｘ）が格納されているか否かを判断する（ステップＳ２０３）。
両者が一致した場合、換言すると、放送事業者ＩＤ格納部３２に放送事業者ＸのＩＤが格納されている場合（ステップＳ２０４／Ｙｅｓ）、制御部３４は、ＩＤ（ｘ）で特定される放送事業者Ｘの専用領域へのアクセスをアプリケーション実行エンジン１４に対して許可する。アプリケーション実行エンジン１４は、放送事業者専用領域３２内のアクセスを許可された領域に対して、データの書き込みや読み出しを行い、処理を終了する（ステップＳ２０５）。
なお、放送事業者ＩＤ格納部３２に格納されている放送事業者のＩＤとアクセス要求で指定されているＩＤとが一致しない場合、換言すると、ＩＤ（ｘ）が放送事業者ＩＤ格納部３２に格納されていない場合（ステップＳ２０４／Ｎｏ）、アクセス制御部３４は、アプリケーション実行エンジン１４が要求する放送事業者専用領域４１に対するアクセスを許可せず処理を終了する。
【００３７】
一方、アクセス制御部３４がアプリケーション実行エンジン１４から受けたアクセス要求が、放送事業者専用領域３２に対するアクセス要求でない場合（ステップＳ２０３／Ｎｏ）、アクセス制御部３４は放送事業者系列ＩＤ格納領域３３に格納されているＩＤとアクセス要求によって指定された領域に関連するＩＤとを比較する。換言すると、アクセス制御部３４は、放送事業者系列ＩＤ格納領域３３に、放送事業者Ｘが属する放送事業者系列のＩＤ（ｙ）が格納されているか否かを判断する（ステップＳ２０６）。
両者が一致した場合、換言すると、放送事業者系列ＩＤ格納部３３に放送事業者Ｘの属する放送系列のＩＤが格納されている場合（ステップＳ２０７／Ｙｅｓ）、アクセス制御部３４は、ＩＤ（ｙ）で特定される放送事業者Ｘが属する系列の専用領域へのアクセスをアプリケーション実行エンジン１４に対して許可する。アプリケーション実行エンジン１４は、放送事業者系列専用領域３３内のアクセスを許可された領域に対して、データの書き込みや読み出しを行い、処理を終了する（ステップＳ２０８）。
なお、放送事業者系列ＩＤ格納部３３に格納されている放送事業者系列のＩＤとアクセス要求で指定されているＩＤとが一致しない場合、換言すると、ＩＤ（ｙ）が、放送事業者系列ＩＤ格納部３３に格納されていない場合（ステップＳ２０７／Ｎｏ）、アクセス制御部３４は、アプリケーション実行エンジン１４が要求する放送事業者系列専用領域４２に対するアクセスを許可せずに処理を終了する。
これによって、特定の放送事業者や特定の放送事業者系列のみがアクセス可能な領域をメモリなどの記憶手段上に実現できる。
【００３８】
なお、本実施形態では放送事業者専用領域４１や放送事業者系列専用領域４２をアプリケーション管理手段２２と別個に設けているが、これらをアプリケーション管理領域２２の内部に設けてもよい。すなわち、アプリケーション管理領域２２の中の特定の領域を放送事業者専用領域４１や放送事業者系列専用領域４２としてもよい。
【００３９】
上記各実施形態は、本発明の好適な実施の一例であり、本発明はこれに限定されるものではない。
例えば、上記各実施形態において、放送局２が無線放送によってデジタル放送コンテンツを送出する場合を例に説明をしたが、有線による放送であってもよい。
また、アプリケーション実行エンジン１４がアクセスするメモリ領域（アプリケーション管理領域２２、アプリケーション専用領域２４、放送事業者専用領域４１および放送事業者系列専用領域４２など）は、例えば、それぞれ別個の記憶手段を設けても良いし、一つの記憶手段内にそれぞれの領域を設けるようにしてもよい。
同様に、アドレス格納部２１，３１、放送事業者ＩＤ格納部３２および放送事業者系列ＩＤ格納部３３なども、例えば、それぞれ別個の記憶手段を設けても良いし、一つの記憶手段内にそれぞれの領域を設けるようにしてもよい。
このように、本発明は様々な変形が可能である。
【００４０】
【発明の効果】
以上の説明によって明らかなように、本発明は以下の効果を奏することができる。
（１）端末にダウンロードされた受信機制御アプリケーションが不正なアプリケーションであっても、そのアプリケーションが不当なサイトに対して不適切な通信を行うことを防ぐことができる。これは、受信機制御アプリケーションを実行してアクセス可能な通信サイトが、この受信機制御アプリケーションのダウンロード元の通信サイト、通信機制御アプリケーションをダウンロードする際にダウンロード元の通信サイトから指定された通信サイト、あるいは、デジタル放送によって放送局から指定された通信サイトに限定されるためである。
（２）端末にダウンロードされた受信機制御アプリケーションが不正なアプリケーションであっても、そのアプリケーションが不正に他の受信機制御アプリケーションやその管理領域にアクセスすることを防ぐことができる。これは、ある受信機制御アプリケーションは、別の受信機制御アプリケーションが使用するメモリ領域に対してアクセスできないためである。
（３）端末にダウンロードされた受信機制御アプリケーションが不正なアプリケーションであっても、そのアプリケーションが不正にデジタル放送コンテンツにアクセスしたり、アクセスしたデジタル放送コンテンツを不正に利用したりすることを防ぐことができる。これは、放送局が放送によって指定した通信サイトからダウンロードされた受信機制御アプリケーション以外は、放送局が放送するデジタル放送コンテンツにアクセスできないためである。
（４）端末にダウンロードされた受信機制御アプリケーションが、デジタル放送コンテンツの指示に従って事業者専用領域または事業者系列専用領域へのアクセスを適切に制御できる。これは、受信機が受信しているデジタル放送に関連づけられた放送事業者ＩＤまたは放送事業者系列ＩＤを放送によって取得し、このＩＤをアプリケーション実行エンジンが利用できるからである。これにより、受信機制御アプリケーションを適切にプログラムすることで、受信機制御アプリケーションを実行したときに、そのアプリケーションが上記ＩＤで指定された放送業者専用領域または放送事業者系列専用領域にしかアクセスできないようにできる。あるいは、放送によって取得した放送事業者ＩＤまたは放送事業者系列ＩＤを利用して、受信機制御アプリケーションがこれらのＩＤで指定される放送事業者専用領域または放送事業者系列専用領域にしかアクセスできないように、アプリケーション実行エンジンに対して制限を加えるためである。
【図面の簡単な説明】
【図１】本発明を好適に実施した第３の実施形態によるデジタル放送受信機を適用した放送システムの構成を示すブロック図である。
【図２】本発明を好適に実施した第２の実施形態によるデジタル放送受信機を適用した放送システムの構成を示すブロック図である。
【図３】本発明を好適に実施した第１の実施形態によるデジタル放送受信機を適用した放送システムの構成を示すブロック図である。
【図４】本発明を好適に実施した第４の実施形態によるデジタル放送受信機を適用した放送システムの構成を示すブロック図である。
【図５】本発明を好適に実施した第５の実施形態によるデジタル放送受信機を適用した放送システムの構成を示すブロック図である。
【図６】本発明を好適に実施した第６の実施形態によるデジタル放送受信機を適用した放送システムの構成を示すブロック図である。
【図７】第６の実施形態によるデジタル放送受信機の要部の構成を示すブロック図である。
【図８】第６の実施形態によるデジタル放送受信機の動作例を示すフローチャートである。
【図９】本発明を好適に実施した第７の実施形態によるデジタル放送受信機を適用した放送システムの構成を示すブロック図である。
【図１０】本発明を好適に実施した第８の実施形態によるデジタル放送受信機を適用した放送システムの構成を示すブロック図である。
【図１１】第８の実施形態によるデジタル放送受信機の要部の構成を示すブロック図である。
【図１２】第８の実施形態によるデジタル放送受信機の動作例を示すフローチャートである。
【符号の説明】
１  デジタル放送受信機
２  放送局
３  通信サイト（Ａ）
４  通信サイト（Ｂ）
１１  ダウンローダ
１２  放送インタフェース（Ｉ／Ｆ）
１３  通信インタフェース（Ｉ／Ｆ）
１４  アプリケーション実行エンジン
２０、２０ａ、２０ｂ  受信機制御アプリケーション
２１、２１ａ、２１ｂ、３１  アドレス格納部
２２  アプリケーション管理領域
２４ａ、２４ｂ  アプリケーション専用領域
３２  放送事業者ＩＤ格納部
３３  放送事業者系列ＩＤ格納部
４１  放送事業者専用領域
４２  放送事業者系列専用領域
【図１】
0004051968.tif 000002
【図２】
0004051968.tif 000003
【図３】
0004051968.tif 000004
【図４】
0004051968.tif 000005
【図５】
0004051968.tif 000006
【図６】
0004051968.tif 000007
【図７】
0004051968.tif 000008
【図８】
0004051968.tif 000009
【図９】
0004051968.tif 000010
【図１０】
0004051968.tif 000011
【図１１】
0004051968.tif 000012
【図１２】
0004051968.tif 000013